(57)【要約】【課題】快適な温度を維持することができ、身体にフィットしやすい充電式のカイロを提供する。【解決手段】充電式カイロ１は、本体３０の表面に配置された複数の伝熱板１５、１５と、前記本体内に収容された電池と、該電池からの電圧値又は電流値を調整することで発熱体伝熱板１５、１５の温度を制御する温度調整手段と、を備えている。本体３０は、それぞれに伝熱板１５が配置された２以上のケース３０Ａ、３０Ｂからなり、該ケース同士は互いに折曲げ可能に設けられている。【選択図】図１
2008173241.tif 000002
【特許請求の範囲】
【請求項１】
複数のケースからなる本体と、
各ケースの表面に配置された発熱体と、
前記発熱体に給電する、繰返し使える充電池と、
前記発熱体の温度を制御する温度調整手段と、を備え、
該ケース同士が互いに折曲げ可能に連結されていることを特徴とする充電式カイロ。
【請求項２】
前記ケースを衣服に固定するための固定手段が設けられていることを特徴とする、請求項１に記載の充電式カイロ。
【請求項３】
前記温度調整手段は、
前記発熱体の温度を比較的高い第１の温度にある時間維持し、その後、前記第１の温度よりもやや低い第２の温度に維持する温度制御を行うことを特徴とする、請求項１又は２に記載の充電式カイロ。
【請求項４】
前記発熱体の温度を、前記第２の温度をある時間維持した後、前記第１の温度か、又は、前記第２の温度よりやや高い第３の温度とすることを特徴とする、請求項３に記載の充電式カイロ。
【請求項５】
充電式カイロのＯＮ／ＯＦＦを切り替えるスイッチを更に備え、
該スイッチがＯＮとされた時点を基準として、前記温度制御が行われることを特徴とする、請求項３又は４に記載の充電式カイロ。
【請求項６】
前記温度調整手段が時計機能を有しており、
該時計機能の時刻を基準として、前記温度制御が行われることを特徴とする、請求項３又は４に記載の充電式カイロ。
【請求項７】
前記発熱体の表面に、柔軟性を有する高比熱材のシートが設けられていることを特徴とする、請求項１〜６のいずれか１項に記載の充電式カイロ。
【請求項８】
前記発熱体の表面に、柔軟性を有する高熱伝導材のシートが設けられていることを特徴とする、請求項１〜６のいずれか１項に記載の充電式カイロ。
【請求項９】
前記発熱体の裏面側に断熱材が設けられていることを特徴とする、請求項１〜８のいずれか１項に記載の充電式カイロ。
【請求項１０】
充電式カイロを収納する収納部、及び、該収納部を身体の一部に固定する固定部材、を備える装着治具と、
請求項１〜９のいずれか１項に記載の充電式カイロと、
を具備することを特徴とする装着治具付き充電式カイロ。
【請求項１１】
前記固定部材が、前記充電式カイロの横方向又は縦方向に延びるベルトであることを特徴とする、請求項１０に記載の装着治具付き充電式カイロ。
【発明の詳細な説明】
【技術分野】
【０００１】
本発明は、身体の一部を温めるのに用いられる携帯用の充電式カイロに関し、特には、快適な温度を維持することができ、身体にフィットしやすい充電式カイロに関する。
【背景技術】
【０００２】
従来、携帯用のカイロとして、電熱線からのジュール熱を熱源に利用するものが知られている。特許文献１には、ジュール熱を発生する電熱シートと、電池と、電熱シートの温度を調整する手段と、を備えたカイロが開示されている。
【特許文献１】実用新案登録第３１２２９１１号公報
【発明の開示】
【発明が解決しようとする課題】
【０００３】
本発明の目的は、快適な温度を維持することができ、身体にフィットしやすい充電式のカイロを提供することにある。
【課題を解決するための手段】
【０００４】
上記目的を達成するため、本発明の充電式カイロは、
複数のケースからなる本体と、
各ケースの表面に配置された発熱体と、
前記発熱体に給電する、繰返し使える充電池と、
前記発熱体の温度を制御する温度調整手段と、を備え、
該ケース同士が互いに折曲げ可能に連結されていることを特徴とする。
前記ケースには、同ケースを衣服に固定するための固定手段（例えば面ファスナー。その他の例については後述する）が設けられていてもよい。
【０００５】
本発明の充電式カイロによれば、本体が２以上のケースからなるものであって、ケース同士が折曲げ可能に設けられていることから、様々な形態をとることが可能であり、身体に良好にフィットさせることができる。また、温度調整手段を備えているので、快適な温度（例えば、体表面で３８℃〜４２℃）を維持することができる。また、ケースに面ファスナー等の固定手段が設けられている場合、充電式カイロを衣服に良好に固定することができる。
【０００６】
本発明の充電式カイロにおいては、前記温度調整手段が、前記発熱体の温度を比較的高い第１の温度にある時間維持し、その後、前記第１の温度よりもやや低い第２の温度に維持する温度制御を行うものであることが好ましい。
【０００７】
このように、ある一定の時間連続してカイロを使用する際に、そのうちのある時間帯における温度がやや低くなるように制御することで、電池の消費量が抑えられるので、カイロの使用時間を長くすることができる。
また、この場合、前記発熱体の温度を、前記第２の温度をある時間維持した後、前記第１の温度か、又は、前記第２の温度よりやや高い第３の温度とするものとすることもできる。
【０００８】
上記構成の場合、本発明の充電式カイロが、カイロのＯＮ／ＯＦＦを切り替えるスイッチを更に備え、該スイッチがＯＮとされた時点を基準として、前記温度制御が行われるようになっていてもよい。
または、前記温度調整手段が時計機能を有しており、該時計機能の時刻を基準として、前記温度制御が行われるようになっていてもよい。
または、前記温度調整手段が、人の体温を検出する検温手段を有しており、該検温手段により検出された前記体温の変化を基準として、前記温度制御が行われるようになっていてもよい。
【０００９】
本発明の充電式カイロにおいては、前記発熱体の表面に、柔軟性を有する高比熱材（例えば２J/(kg・K)以上）からなるシートが設けられていてもよい。
また、柔軟性を有する高熱伝導材（例えば１W/m・K以上）からなるシートが設けられていてもよい。
このような弾性シートが設けられている場合、身体へのフィット性が向上するため、熱をより効率的に伝えることが可能となる。シートに、導電性カーボン・黒鉛・金属粉末（例えば銅やアルミ）等の導電性材料を添加することで、材料の熱伝導性を高めることができ、発熱体からの熱をスムーズに身体の一部に伝熱させることができるものとなる。
シートの素材が、比熱の高いものである場合、蓄熱性を向上させることができる。一方、弾性シートの素材が、熱伝導性の高いものである場合、発熱体からの熱を、スムーズに身体の一部に伝えることができるという利点がある。
【００１０】
また、前記発熱体の裏面側に、該発熱体からの熱を外部に放熱させないための断熱材が設けられていてもよい。これにより、発熱体からの熱を有効に利用することが可能となる。
なお、「発熱体の裏面側に設けられている」とは、断熱材が、ケースの内部において発熱体の裏面側に配置されている形態に限らず、ケースの外側に（ケース裏面側を覆うようにして）断熱材が配置されている形態も含む。
【００１１】
本発明の充電式カイロは、装着治具に収容して使用することもできる。
すなわち、本発明の装着治具付き充電式カイロは、充電式カイロを収納する収納部、及び、該収納部を身体の一部に固定する固定部材を備える装着治具と、上記本発明による充電式カイロと、を具備することを特徴とするものである。この場合、前記固定部材は、前記充電式カイロの横方向又は縦方向に延びるベルトであってもよい。このような構成によれば、身体の種々の部位に、カイロを良好に取り付けることが可能となる。
【発明の効果】
【００１２】
上述したように、本発明によれば、快適な温度を維持することができ、身体にフィットしやすい充電式のカイロを提供することができる。
【発明を実施するための形態】
【００１３】
以下、本発明の実施の形態について、図面を参照しながら詳細に説明する。
（第１の実施形態）
図１は、本発明の一形態に係る充電式カイロの斜視図であり、充電式カイロを平らにした状態を示している。図２（Ａ）は図１のカイロの平面図であり、図２（Ｂ）は同カイロの側面図である。図３は、同カイロの内部構造を説明するための断面図であり、図２中のＡ−Ａ切断線における断面を示している。
【００１４】
図１に示すように、本実施形態の充電式カイロ１は、ヒンジ部３４を介して折曲げ可能に連結された２つのケース３０Ａ、３０Ｂからなる本体３０と、この本体３０の表面に配置された発熱体１３、１３とを備えている。各ケース３０Ａ、３０Ｂは樹脂又はエラストマー製の筐体であり、その上面ほぼ中央に発熱体１３が配置されている。
ここで、発熱体１３とは、板状の伝熱板１５と、その裏面に配置された発熱部材１７（図３参照、詳細後述）と、からなるものである。
【００１５】
ケース３０Ｂは、その外周部の一辺（ヒンジ部３４側の辺３１Ｂ）に、外側から中心側に向かってに掘り込まれた２つの凹部３５、３５を有している。これに対応して、もう一方のケース３０Ａの外周部の一辺には、その凹部３５、３５に入り込む凸部３６、３６が形成されている。ヒンジ部３４は、この凸部３６、３６が凹部３５、３５に入り込み、この状態で、図３に示すように軸部材３１が縦方向（図１参照）に通されることにより構成されている。これにより、ケース３０Ａ、３０Ｂが、軸部材３１周りに回動（折曲げ可能）可能に互いに連結されている。
【００１６】
ケース３０Ａ、３０Ｂの回動範囲は特に限定されるものではないが、この例では、およそ９０°（図４参照）〜１８０°（図１参照）の範囲となっている。
【００１７】
図２（Ａ）、（Ｂ）に示すように、ケース３０Ａの外周部の一辺（ヒンジ部側の辺）には、ケース上面側から所定深さだけ凹んだ凹部３９が、同ケースのヒンジ部３４側の縁に沿って形成されている。凹部３９の下側は、下突出部３８として部材が残されている。
もう一方のケース３０Ｂにおいては、逆に、下面側から所定深さだけ凹んだ凹部３９′が形成されており、上側が上突出部３７として残されている。
【００１８】
図２（Ｂ）に示すように、ケース３０Ａ、３０Ｂがおよそ１８０°まで開いた状態で、下突出部３８の上面３８ａと上突出部３７の下面３７ａとが略面接触する構成となっており、これにより、ケース３０Ａ、３０Ｂが矢印Ｂ方向にそれ以上（およそ１８０°以上）開かないようになっている。
また、図４に示すように、ケース３０Ａ、３０Ｂをおよそ９０°に折り曲げた状態では、ケース３０Ａ側の凹部３９の上隅にある角部３２が、相手方のケース３０Ｂの上面に当たることにより、それ以上閉じないようになっている。
【００１９】
再び図１を参照すると、ケース３０Ａ、３０Ｂのそれぞれの上面には、この充電式カイロ１全体を、衣服等に固定するための固定手段（１２）が貼り付けられている。この固定手段は、一例として、伝熱板１５の三辺を囲むコ字形の面ファスナー１２である。面ファスナー１２の上面の高さは、伝熱板１５の上面の高さと同一であってもよいし、伝熱板１５の上面よりやや高くてもよい。
なお、面ファスナー１２を利用する場合、相手側にフック又はループが設けられていることが好ましい。
【００２０】
また、固定手段は、面ファスナー１２の他にも、粘着材、粘着テープ、ファスナー、ホック等を利用することもできる。面ファスナー１２はコ字形に限らず、伝熱板１５の３辺に沿って貼り付けられた３本の直線状のものであってもよい。
ここで粘着材としては、アクリル系やＳＥＢＳ系・ＳＢＳ系・ＳＩＳ系等と石油系樹脂を含むもの等を利用することができる。面ファスナーは、ナイロン樹脂系・ポリエステル樹脂系・ＰＰ樹脂系等のポリオレフィン系樹脂等を利用することができる。
【００２１】
次に、図３を参照して本実施形態の充電式カイロ１の内部構造について説明する。
図３に示すように、ケース３０Ａ、３０Ｂの上面には、上述したように、伝熱板１５が配置されている。この伝熱板１５の裏面中央には、薄板状の発熱部材１７が貼り付けられている。発熱部材１７は、一例として、電圧の印加により発熱するＰＴＣ（Positive Temperature Coefficient）ヒータであり、このヒータからの熱が、伝熱板１５に伝わり、伝熱板１５全体が加熱されるようになっている。
【００２２】
伝熱板１５としては、金属、導電性プラスチック、導電性ゴム、導電性エラストマー等の熱伝導性に優れた材料を使用することができる。発熱部材１７は、ＰＴＣヒータのほかにも面状ヒータなど種々利用可能である。
【００２３】
発熱部材１７に電圧を付与する（給電する）ための電池Ｂ１、Ｂ２は、ケース３０Ａ、３０Ｂ内にそれぞれ配置されている。この電池は、例えば、充電可能なリチウムイオン電池・ニッケル水素電池・ニッケル・カドミウム電池・リチウム電池・リチウムポリマー電池、燃料電池、カルシウムイオン電池等を利用することができる。なお、電池はケース３０Ａ、３０Ｂに外付けされるものであってもよい。
【００２４】
詳細な回路構成の説明は省略するが、ケース３０Ａの一部には、電池Ｂ１、Ｂ２を充電するための外部電力供給用ソケット４３が設けられている（図３参照）。この場合、充電用の電源コード（不図示）をこのソケット４３に接続することにより、電池Ｂ１、Ｂ２が充電される。
【００２５】
ケース３０Ｂの内部には、発熱部材１７に電圧を付与するかどうかの制御（すなわち、カイロのＯＮ／ＯＦＦの制御）や、発熱部材１７の温度制御を行うマイコンＡが配置されている。
マイコンＡは、一例として、電池Ｂ１、Ｂ２からの電圧値又は電流値を調整することで発熱部材１７の温度を調整する（なお、以下では、電圧値が調整される例について説明する）。
マイコンＡが発熱部材１７の温度を調整できるように、発熱部材１７の裏面と伝熱板１５の裏面との２箇所には、温度センサ（サーミスタ）１９ａ、１９ｂが設けられている。マイコンＡは、この２つのセンサ１９ａ、１９ｂによる検出結果に基づいて、電池Ｂ１、Ｂ２からの電圧値を適宜調整し、発熱部材１７ひいては伝熱板１５の温度を調整する。発熱部材１７及び伝熱板１５の２箇所に、センサ１９ａ、１９ｂが設けられているので、より正確な温度調整が可能となっている。
【００２６】
マイコンＡは、一例として、低温火傷の防止の観点から、伝熱板１５の温度を、体表面の温度が３８℃〜４２℃の範囲内になるように、所定の設定温度（４０℃〜５０℃）に制御する。すなわち、温度センサ１９ａ、１９ｂの検出結果に基づいて、伝熱板１５の温度が設定温度未満では電池の電圧を上昇するように制御し、一方、伝熱板１５の温度が設定温度を超えた場合には、電源の出力を段階的に又は連続的に下げるように制御する。
【００２７】
なお、図示を省略しているが、本実施形態の充電式カイロ１においては、本体３０の一部に操作スイッチが設けられており、ユーザーが、このスイッチを操作することにより、カイロ１のＯＮ／ＯＦＦが切り替えられるようになっている。
【００２８】
本実施形態の充電式カイロ１は、幾つかの動作パターンを設定できる。例えば、スイッチ（不図示）をＯＮにしている間じゅう動作して、適温を維持する「連続動作モード」や、スイッチをＯＮにした後、所定時間経過したら自動的にＯＦＦとなる「自動停止モード」等である。各モードにおいては、更に、「高温」・「低温」等の温度調整が可能となっている。なお、より具体的な温度調整の例については、他の図面を参照して後述する。
【００２９】
次に、以上のように構成された本実施形態の充電式カイロ１の使用例について、図５、図６を参照して説明する。
このカイロ１は、図５に示すように足裏に当てて使用することができる。「冷え性」の人の中には、足末端の血流が極めて悪く、夏場でも足が冷えた状態になっている人も多い。本実施形態の充電式カイロ１は、こうした冷え性の改善のために、靴下に取り付けて使用することができる。この際の体表面の温度は、低温火傷の心配がないように４２℃以下であることが好ましい。また、就寝時に、カイロ１を足裏にこのように取り付けて使うことも可能である。
【００３０】
こうした使用形態において、本実施形態の構成によれば、伝熱板１５の周辺に設けた固定手段（面ファスナー１２）が靴下にくっつくため、特別な取付具を用いなくても、カイロ全体を足裏に良好に固定することができる。
【００３１】
また、本実施形態の充電式カイロ１は、ケース３０Ａ、３０Ｂが折曲げ可能となっていることから、このように足裏を当てた際に、ケース３０Ａ、３０Ｂが足裏の形状に沿って折れ曲がる。この例では、ケース３０Ａの電熱板１５が、足裏の親指付け根部分の膨らみ部の前方側に沿って接しており、ケース３０Ｂが後方側に沿って接している。本実施形態の構成によれば、このように、各ケース３０Ａ、３０Ｂの各伝熱板１５、１５を足裏に良好に近接又は密着させることができるため、温熱効果が向上する。
【００３２】
図６に示すように、本実施形態の充電式カイロ１は、下着の上から肩にのせて使用することもできる。この場合、カイロ１を、肩の曲線に沿って折り曲げることにより、肩の僧帽筋を包み込むようなかたちで（つまり、各ケースの電熱板１５が僧帽筋の前後に当たる状態で）、肩を効果的に温めることができる。この場合においても、面ファスナー１２（図１参照）が下着にくっついてカイロ全体が固定されるため、カイロ１が肩から滑り落ちることはない。
【００３３】
以上説明したように、本実施形態の充電式カイロ１は、足裏や肩などに沿って形を変えることができるので、伝熱板１５を身体の一部に良好に近接又は密着させることができる。また、ケース３０Ａ、３０Ｂの上面に、面ファスナー１２等の固定手段が設けられているので、衣服に充電式カイロ１を良好に固定することができる。
また、内蔵した電池Ｂ１、Ｂ２により駆動されるものであるので、電源コード等が不要であり、場所を選ばず使用することができる。電池Ｂ１、Ｂ２が充電式のものであるので、繰り返し使うことができる点でも有利である。
【００３４】
また、本実施形態の充電式カイロ１は、マイコンＡ及び温度センサ１９ａ、１９ｂ（図３参照）を内蔵しており、これにより、発熱部材１７の温度調整が可能となっているので、カイロを快適な温度を保つことができる。
【００３５】
ここで、具体的な温度調整の例について、図７を参照して説明する。図７は、人の一日の体温、及び、充電式カイロ１の温度調整の一例を示すグラフであり（不眠症を治す/中沢洋一/保健同人社/1995年12月より）、縦軸が温度、横軸が時間帯である。図７中、丸い点を結んだ下側の折れ線が体温の変化を示し、四角い点を結んだ折れ線がカイロ温度を示している。なお、この例では、２１：００〜６：００の時間帯に睡眠をとる人の例が示されている。
【００３６】
この例における人の体温は、昼間の生活時間帯が約３７℃であり、１９：００〜２３：００にかけて３６.５℃くらいまで徐々に下がっていき、２３:００〜４:００は３６.５℃程度を保ち、朝方４：００〜６：００にかけて再び徐々に３７℃くらいまで上昇するものとなっている。２３:００〜４:００の時間帯のように体温が低くなった状態では、カイロ１をそれほど高温にする必要はない。カイロ１の温度を感じ易いのは、比較的眠りの浅い就寝直後と起床直前であると考えられるので、この時間帯にカイロ１が高温となっていればよい。
【００３７】
そこで、本実施形態の充電式カイロ１ではマイコン制御により、同図グラフ中に示すように、就寝直後の時間帯（２１:００〜２３:００）のカイロの温度（伝熱板１５の温度）を一例として４０℃とし、その後の時間帯（２３:００〜４:００）の温度をやや低くして３８℃とし、起床直前（４:００〜６：００）の時間帯の温度を再び高温として４０℃とするようにしている。このような制御によれば、所定の時間帯（２２:００〜４:００）での電池Ｂ１、Ｂ２の消費量が抑えられるので、１回の充電での使用時間を長くすることができる。
【００３８】
なお、上記温度制御を開始するタイミングは、ケースに設けたスイッチ（不図示）をＯＮとした時点であってもよい。すなわち、スイッチをＯＮとした時点から、上記温度制御が行われるようになっていてもよい。
【００３９】
あるいは、マイコンＡが時計機能を内蔵しており、この時計機能の時刻を基準として、上記温度制御が行われる構成とすることもできる。
また、充電式カイロ１が、更に、人の体温を検出する検温機能を備えており、それにより検出された体温の高低により（体温が低くなった時点で）、カイロ１の温度が低温（上記例で言えば３８℃）となる構成とすることもできる。
【００４０】
以上、本発明の一形態について説明したが、本発明の充電式カイロにおいては、３つ以上のケースを有し、これらのケースが互いに折曲げ可能に連結されていてもよい。
【００４１】
次に、カイロ１と身体との間に介在させる柔軟性のある弾性シートについて、再度図３を参照して説明する。
図３に示すように、このカイロ１においては、発熱体１３の表面に柔軟性のある弾性シート４５が設けられていてもよい。なお、この例では、各発熱体１３のそれぞれを覆うようにシート４５が設けられているが、これに限らず、カイロ１の表面（上面）全体を１枚のシート４５で覆うようにしてもよい。
【００４２】
このシートの材質としては、熱伝導率が高いもの、あるいは、比熱が高いもの（比熱の高いものの例として、ゲル材、エラストマー材、ゴム材等）のいずれであってもよい。また、シート表面が粘着性を有し、衣服等に貼り付くシートであってもよい。
【００４３】
ゲル材としては、グリセリン・水などを使用し、ポリアクリル酸・ポリアクリル酸ナトリウム・ポリイコタン酸ナトリウム・架橋型ポリアクリル酸ナトリウム・架橋型アクリル系ポリマー・架橋型ポリアクリル酸・ＣＭＣ・ＨＰＣ・ポリビニルアルコール・ゼラチン・アラビアゴムにゲル硬化剤（水酸化アルミニウム・水酸化マグネシウム・水酸化カルシウム、塩化アルミニウム、硫酸アルミニウム、カリミョウバン、酸化亜鉛、合成ケイ酸アルミニウム等）でゲル化させたものを利用可能である。
【００４４】
ゴム材は、スチレン・ブタジエン系ゴム・天然ゴム系・ニトリル系ゴム・クロロプレン系ゴム・ブチル系ゴム・シリコン系ゴム・クロロスルフォン化ポリエチレンゴム・フッ素系ゴム・エチレン・プロピレン系ゴム・ウレタン系ゴム等が使用できる。
【００４５】
エラストマー材は、ポリウレタン系・オレフィン系・スチレン系・ポリエステル系・ポリアミド系・フッ素系・シンジオタクチック１・２ＰＢ系エラストマー・塩素系エチレンコポリマー架橋ポリマーアロイ・塩素化ポリエチレン・エステル・ハロゲン系ポリマーアロイ型エラストマー等が使用できる。
【００４６】
このような柔軟性のあるシート４５が設けられていることにより、身体へのフィット性が向上するため、熱をより効率的に伝えることが可能となる。シートの比熱の高いものである場合、蓄熱性を向上させることができる。一方、シートの熱伝導性の高いものである場合、発熱体からの熱を、スムーズに身体の一部に伝えることができるという利点がある
【００４７】
（第２の実施形態）
図８は、上記実施形態の充電式カイロ１を身体の一部に装着するための装着治具を説明するための図であり、図８（Ａ）が平面図であり、図８（Ｂ）が縦断面図である。
図８（Ｂ）に示すように、この装着治具６０は、身体に当たる側となる１枚のシート６１と、そのシート６１の上面ほぼ中央に形成されたカイロ収容部６５と、を備えている。
【００４８】
図８（Ａ）に示すように、シート６１は、中央部から上下に延び出した延出部６１ａ、６１ａと、左右に延び出した延出部６１ｂ、６１ｂと、を有している。各延出部６１ａ、６１ｂには、それぞれの延出方向に直交する方向に細長く切り込まれた通し孔６３が形成されており、ここに固定部材（ベルト６９）が通されるようになっている。
ベルト６９としては、カイロ１の縦方向の通されるベルト６９Ａと、横方向に通されるベルト６９Ｂとが設けられている。ベルト６９は、伸縮性のあるゴムバンド等であってもよい。シート６１は一例として布材である。なお、２つのベルトを必ずしも両方設ける必要はなく、ベルト６９Ａ及び６９Ｂのいずれか一方のみを設けるようにしてもよい。
【００４９】
図８（Ｂ）に示すように、シート６１の上面には、箱型に形成されたシート６７が縫い付けられており、両シート６１、６７間にカイロ収容部６５が形成されている。図示しないが、シート６７の側部にはファスナーが設けられており、このファスナーを開けて、カイロ１をこの収容部６５内に入れることができるようになっている。この際、カイロ１はその伝熱板１５（図１参照）が下向きとされ、カイロ１を収容した状態では、伝熱板１５とシート６１とが接する。
【００５０】
充電式カイロ１を収容したら、図９に示すように、装着治具６０を身体の一部（この例では足）に装着する。具体的には、装着治具６０のシート６１側が足裏に当たるように治具６０をセットし、この状態で、図８の縦方向に延びるベルト６９Ａを足の甲に巻きつけて固定する。これにより、カイロ１の電熱板１５（図１参照）がシート６１を介して足裏に良好にフィットして当たることとなる。
【００５１】
また、図８の装着治具６０では、充電式カイロ１（図１参照）の横方向に沿う方向と（図８の横方向）、縦方向に沿う方向とにベルト６９を通すことができるようになっているため、身体の種々の部位に沿わせて、カイロ１を良好に取り付けることが可能である。
【００５２】
図９の例では、縦方向のベルト６９Ａを利用してカイロ１を足に装着したが、例えば、カイロ１を腰に当てる場合には、横方向のベルト６９Ｂを利用すればよい。これにより、カイロ１が左右の背筋に沿って折れ曲がった状態で腰に当たることとなり（なお、この例では、カイロ１のケース３０Ａ、３０Ｂが１８０°以上に折曲げ可能となっている）、左右の背筋のそれぞれに、伝熱板１５、１５（図１参照）を近接又は密着させることができる。
【００５３】
ここで、図８（Ｂ）に示すように、カイロ収容部６５内において、カイロ１の上面及び側面全体を覆うように、断熱材６８（発泡ポリエチレン等のポリオレフィン系、ポリウレタン系、ポリエステル系等の発泡材であって、空気綱を内包した材料）が設けられていることが好ましい。これにより、カイロ１からの熱がシート６７を伝って外部に逃げにくくなるため、熱のロスを抑え、発熱体からの熱を有効に利用することが可能となる。
なお、こうした断熱材は、それ単独で、第１の実施形態に示したカイロ１に利用することもできる。
【００５４】
図１０は、装着治具の他の例を示す図である。この図に示す装着治具６０′は、シート６１の各延出部６１ａ、６１ｂに通し孔６３が形成されておらず、その代わりに、シート６１の裏面６１ｃ（下面）が面ファスナーとなっている。この例では、この面ファスナーの作用により、シート６１の裏面が、カイロ１の横方向に延びるベルト６９Ｄの上面に固定されている。ベルト６９Ｄは、一例として、伸縮性のある環状のバンドである。なお、この横方向のベルト６９Ｄに代えて、カイロ１の縦方向に延びるベルト６９Ｃをシート６１の裏面に固定することもできる。このよう構成によれば、図８の構成と比較して、より幅の広いベルト６９Ｃ、６９Ｄを利用することができる。また、シート６１をベルト６９Ｃ、６９Ｄに固定するのに面ファスナーを用いるものであるため、固定に手間がかからないという利点がある。
【図面の簡単な説明】
【００５５】
【図１】本発明の一形態に係る充電式カイロの斜視図であり、充電式カイロの開時の状態を示している。
【図２】図２（Ａ）は図１のカイロの平面図であり、図２（Ｂ）は同カイロの側面図である。
【図３】図２のＡ−Ａ切断線における縦断面図である。
【図４】図１のカイロの閉時の状態を示す側面図である。
【図５】本発明に係る充電式カイロの使用例を示す図である。
【図６】本発明に係る充電式カイロの他の使用例を示す図である。
【図７】人の一日の体温、及び、それに対応させた充電式カイロの温度調整の一例を示すグラフである。
【図８】充電式カイロを身体に身体の一部に装着するための装着治具を示す図であり、図８（Ａ）が平面図であり、図８（Ｂ）が縦断面図である。
【図９】図８の装着治具の使用例を示す図である。
【図１０】装着治具の他の例を示す図であり、図１０（Ａ）が平面図であり、図１０（Ｂ）が縦断面図である。
【符号の説明】
【００５６】
１・・・充電式カイロ、１２・・・面ファスナー、１３・・・発熱体、１５・・・伝熱板、１７・・・発熱部材、１９ａ、１９ｂ・・・温度センサ
３０・・・本体、３０Ａ、３０Ｂ・・・ケース、３１・・・軸部材、３１Ｂ・・・辺、３２・・・角部、３４・・・ヒンジ部、３５・・・凹部、３６・・・凸部、３７・・・上突出部、３７ａ・・・下面、３８・・・下突出部、３８ａ・・・上面、３９、３９′・・・凹部、４３・・・ソケット、４５・・・弾性シート、Ａ・・・マイコン及び制御回路、Ｂ１、Ｂ２・・・電池
６０、６０′・・・装着治具、６１・・・シート、６３・・・通し孔、６５・・・カイロ収容部
６７・・・シート、６９Ａ〜６９Ｄ・・・ベルト
【図１】
2008173241.tif 000003
【図２】
2008173241.tif 000004
【図３】
2008173241.tif 000005
【図４】
2008173241.tif 000006
【図５】
2008173241.tif 000007
【図６】
2008173241.tif 000008
【図７】
2008173241.tif 000009
【図８】
2008173241.tif 000010
【図９】
2008173241.tif 000011
【図１０】
2008173241.tif 000012